(57)【要約】      （修正有）【課題】全体が柱状本体からなるものであるため取り扱いが簡単で、繰り返しの使用や長期間の利用にも充分に耐え得る精子採取器の提供。【解決手段】女性の膣の輪郭をかたどった短冊状の原型を筒状の型枠内にその長さ方向に沿って保持した上、型枠内にゴム状弾性体を注型して硬化させた柱状本体１１と、その後柱状本体の一方の端部から原型を抜き取って形成されたペニス挿入用の切込み１２からなる。【選択図】図１
0003139311.tif 000002
【実用新案登録請求の範囲】
【請求項１】
（公序良俗違反につき、不掲載）
【請求項２】
（公序良俗違反につき、不掲載）
【請求項３】
（公序良俗違反につき、不掲載）
【請求項４】
（公序良俗違反につき、不掲載）
【請求項５】
（公序良俗違反につき、不掲載）
【請求項６】
（公序良俗違反につき、不掲載）
【請求項７】
（公序良俗違反につき、不掲載）
【考案の詳細な説明】
【技術分野】
【０００１】（公序良俗違反につき、不掲載）
【背景技術】
【０００２】（公序良俗違反につき、不掲載）
【考案の開示】
【考案が解決しようとする課題】
【０００３】（公序良俗違反につき、不掲載）
【課題を解決するための手段】
【０００４】（公序良俗違反につき、不掲載）【０００５】（公序良俗違反につき、不掲載）【０００６】（公序良俗違反につき、不掲載）【０００７】（公序良俗違反につき、不掲載）【０００８】（公序良俗違反につき、不掲載）【０００９】（公序良俗違反につき、不掲載）【００１０】（公序良俗違反につき、不掲載）【００１１】（公序良俗違反につき、不掲載）
【考案の効果】
【００１２】（公序良俗違反につき、不掲載）
【考案を実施するための最良の形態】
【００１３】（公序良俗違反につき、不掲載）【００１４】（公序良俗違反につき、不掲載）【００１５】
前記柱状本体１１の素材としては、ゴム状弾性体、例えば天然ゴム、合成ゴム、シリコンゴム等である。なお本考案は人体に直接、装着するためシリコン樹脂製のゴム状弾性体が最適である。このシリコン樹脂製のゴム状弾性体のうち、約２倍程度以上、望ましくは５倍以上に伸びるものを使用することにより、個人の陰茎の大小にも適応できる特徴を持たせることができる。
１４は、前記柱状本体１１の一方の端部に形成された外向きのフランジ（つば部）で、柱状本体１１を型枠内にゴム状弾性体を注型して硬化させることによって成形する際に、型枠に予めフランジに対応するくぼみを形成しておくことにより、一体的に成形することができる。
【００１６】
１５は筒状の弾性素材からなる握り部材であり、好ましくはその外形を手で握った形状とするとともに、布や不織布、軟質プラスチックシート等からなる外皮を有していることが望ましい。
前記柱状本体１１は、この筒状の弾性素材からなる握り部材１５に収納されている。前記弾性素材の材質としては、前記柱状本体１１を構成するゴム状弾性体、例えば天然ゴム、合成ゴム、シリコンゴム等から適宜選択することができるが、握った際の加圧力の伝わり方や握りやすさ等を勘案して適宜決めることができる。
【００１７】（公序良俗違反につき、不掲載）【００１８】（公序良俗違反につき、不掲載）【００１９】（公序良俗違反につき、不掲載）【００２０】（公序良俗違反につき、不掲載）【００２１】（公序良俗違反につき、不掲載）【００２２】（公序良俗違反につき、不掲載）
【産業上の利用可能性】
【００２３】（公序良俗違反につき、不掲載）
【図面の簡単な説明】
【００２４】（公序良俗違反につき、不掲載）
【符号の説明】
【００２５】（公序良俗違反につき、不掲載）
【図１】
0003139311.tif 000003
【図２】
0003139311.tif 000004
【図３】
0003139311.tif 000005
【図４】
0003139311.tif 000006
【図５】
0003139311.tif 000007
【図６】
0003139311.tif 000008
【図７】
0003139311.tif 000009
【手続補正書】
【提出日】平成19年8月10日(2007.8.10)
【手続補正１】
【補正対象書類名】実用新案登録請求の範囲
【補正対象項目名】全文
【補正方法】変更
【補正の内容】
【実用新案登録請求の範囲】
【請求項１】
ペニス挿入部をかたどった短冊状の原型を筒状の型枠内にその長さ方向に沿って保持した上、型枠内にゴム状弾性体を注型して硬化させた柱状本体と、その後該柱状本体の一方の端部から原型を抜き取って形成されたペニス挿入用の切込みからなることを特徴とする精子採取器。
【請求項２】
柱状本体の一方の端部に、外向きのフランジを形成したことを特徴とする請求項１記載の精子採取器。
【請求項３】
柱状本体が筒状の弾性素材からなる握り部材に収納されていることを特徴とする請求項１または２記載の精子採取器。
【請求項４】
柱状本体が弾性素材からなる女体部材に収納されていることを特徴とする請求項１または２記載の精子採取器。
【請求項５】
柱状本体を構成するシリコン樹脂製のゴム状弾性体が、透明ないし半透明の素材からなることを特徴とする請求項１ないし４のいずれかに記載の精子採取器。
【請求項６】
ペニス挿入用の切込みが、ほぼ全長にわたって所定幅のスリット状をなし、中間部位に幅広部分が形成されていることを特徴とする請求項１ないし５のいずれかに記載の精子採取器。
【請求項７】
ペニス挿入用の切込みが、スリット状をなす内面に細かい凹凸が形成されていることを特徴とする請求項１ないし６のいずれかに記載の精子採取器。
【手続補正２】
【補正対象書類名】明細書
【補正対象項目名】全文
【補正方法】変更
【補正の内容】
【考案の詳細な説明】
【技術分野】
【０００１】
本考案は、精子採取器に関する。
【背景技術】
【０００２】（公序良俗違反につき、不掲載）
【考案の開示】
【考案が解決しようとする課題】
【０００３】（公序良俗違反につき、不掲載）
【課題を解決するための手段】
【０００４】
すなわち本考案の精子採取器は、ペニス挿入部をかたどった短冊状の原型を筒状の型枠内にその長さ方向に沿って保持した上、型枠内にゴム状弾性体を注型して硬化させた柱状本体と、その後該柱状本体の一方の端部から原型を抜き取って形成されたペニス挿入用の切込みからなることを特徴とするものである。
【０００５】
本考案の精子採取器は、前記柱状本体の一方の端部に、外向きのフランジを形成したことをも特徴とするものである。
【０００６】
本考案の精子採取器は、前記柱状本体が筒状の弾性素材からなる握り部材に収納されていることをも特徴とするものである。
【０００７】
本考案の精子採取器は、前記柱状本体が弾性素材からなる女体部材に収納されていることをも特徴とするものである。
【０００８】
本考案の精子採取器は、前記柱状本体を構成するシリコン樹脂製のゴム状弾性体が、透明ないし半透明の素材からなることをも特徴とするものである。
【０００９】
本考案の精子採取器は、前記ペニス挿入用の切込みが、ほぼ全長にわたって所定幅のスリット状をなし、中間部位に幅広部分が形成されていることをも特徴とするものである。
【００１０】
本考案の精子採取器は、前記ペニス挿入用の切込みが、スリット状をなす内面に細かい凹凸が形成されていることをも特徴とするものである。
【００１１】
本考案は素材として、シリコン樹脂製のゴム状弾性体等の約２倍程度以上に伸びるものを使用することにより、個人の陰茎の大小にも適応できる特徴を具備している。本考案の素材はゴム上弾性体、例えば天然ゴム、合成ゴム、シリコンゴム等である。また本考案は人体に直接、装着するためシリコン樹脂製のゴム状弾性体が最適である。
【考案の効果】
【００１２】
本考案の精子採取器によれば、以下に記載する効果を奏する。
（１）ペニス挿入用の切込みがスリット状であり、ペニスの外周全体を覆うものに比べてペニスの両側をはさむように当接するので、適度の摩擦による刺激が得られる。
（２）ペニス挿入用の切込みが、ペニス挿入部をかたどった短冊状の原型を筒状の型枠内にその長さ方向に沿って保持した上、型枠内にゴム状弾性体を注型して硬化させ、その後該柱状本体の一方の端部から原型を抜き取って形成されるものであり、製作が非常に簡単でコストを大幅に低減することができる。
（３）ペニス挿入用の切込みが、ペニス挿入部をかたどった短冊状の原型をもとにしており、ペニス挿入時の感触が良好である。
（４）ゴム状弾性体からなる柱状本体がよく伸びるので、脱着、洗浄が容易である。
（５）またゴム状弾性体からなる柱状本体を透明ないし半透明とすることにより、洗浄の際に汚れの位置がわかりやすく、繰り返し使用する際にも清潔に使用することができる。
【考案を実施するための最良の形態】
【００１３】
以下図面に基いて、本考案の精子採取器の実施の形態をより詳細に説明する。
図１は本考案の精子採取器の１実施例を示す正面図、図２はその上面図、図３はその側面図、図４はゴム状弾性体内にペニス挿入部をかたどった短冊状の原型が取り付けられている状態を示す正面図、図５はその上面図、図６はペニス挿入部をかたどった短冊状の原型の正面図、図７はその上面図である。
【００１４】
図１ないし図３に示す、本考案の精子採取器の１実施例において、型枠内にゴム状弾性体を注型して硬化させた柱状本体１１内には、ペニス挿入部をかたどった短冊状の原型を抜き取ることによって、一端において開口するペニス挿入用の切込み１２が形成されている。１３はその開口部である。
【００１５】
前記柱状本体１１の素材としては、ゴム状弾性体、例えば天然ゴム、合成ゴム、シリコンゴム等である。なお本考案は人体に直接、装着するためシリコン樹脂製のゴム状弾性体が最適である。このシリコン樹脂製のゴム状弾性体のうち、約２倍程度以上、望ましくは５倍以上に伸びるものを使用することにより、個人の陰茎の大小にも適応できる特徴を持たせることができる。
１４は、前記柱状本体１１の一方の端部に形成された外向きのフランジ（つば部）で、柱状本体１１を型枠内にゴム状弾性体を注型して硬化させることによって成形する際に、型枠に予めフランジに対応するくぼみを形成しておくことにより、一体的に成形することができる。
【００１６】
１５は筒状の弾性素材からなる握り部材であり、好ましくはその外形を手で握った形状とするとともに、布や不織布、軟質プラスチックシート等からなる外皮を有していることが望ましい。
前記柱状本体１１は、この筒状の弾性素材からなる握り部材１５に収納されている。前記弾性素材の材質としては、前記柱状本体１１を構成するゴム状弾性体、例えば天然ゴム、合成ゴム、シリコンゴム等から適宜選択することができるが、握った際の加圧力の伝わり方や握りやすさ等を勘案して適宜決めることができる。
【００１７】
この考案の精子採取器としては、図示はしないが、前記柱状本体１１を適宜の構造物に収納することもできる。この構造物も弾性素材とすることができ、ゴム状弾性体、例えば天然ゴム、合成ゴム、シリコンゴム等から適宜選択することができるが、適宜の弾力とすることによって精子採取器としての機能をより向上させることができる。
前記柱状本体１１はこの構造物に収納する際、ペニス挿入部に前記開口部１３が配置されるよう位置決めすればよい。
この場合も、布や不織布、軟質プラスチックシート等からなる外皮を有していることが望ましいことはもちろんである。
【００１８】
また、前記柱状本体１１の素材を構成するシリコン樹脂製のゴム状弾性体を、透明ないし半透明の素材で形成しておくことにより、握り部材や構造物に対して着脱可能としておき、取り出して洗浄する際に汚れの位置がわかりやすく、繰り返し使用する際にも清潔に使用できる精子採取器を提供することができる。
【００１９】
柱状本体１１に形成した前記ペニス挿入用の切込み１２は、ペニス挿入部をかたどった短冊状の原型を抜き取って形成されるものであるため、ほぼ全長にわたって所定幅のスリット状をなし、中間部位に２つの幅広部分が形成されている。またその幅広部分は切込み１２のスリット面に対して球状にカーブしており、しかもスリット面には細かい凹凸が形成されている。
【００２０】
本考案の精子採取器の製造に際しては、図４および図５に示すような方法が採用される。
最初に、筒状の型枠（図示せず）内にその長さ方向に沿ってペニス挿入部をかたどった短冊状の原型２１を保持し、その状態で型枠内にゴム状弾性体の原料、例えば原液や素材の粉末、素材ゲル等を充填する。その後自然に硬化するのを待つか、加熱やその他の処理を施して原料を硬化させる。
上記の筒状の型枠への短冊状の原型２１の保持は、少量生産の際には操作者が短冊状の原型２１を型枠に向かって手で吊り下げてもよい。またアイスキャンデーの製作に使用されるスティック保持装置を転用して本考案の精子採取器の製造に使用することも可能である。
【００２１】
すなわち、アイスキャンデーは多数の型枠内にスティックを漬け込み、アイスキャンデーの原液を注入したのち冷凍して硬化させるものであり、そのような工程で使用されるアイスキャンデーのスティック保持装置を本考案の精子採取器の製造に転用するのである。
そして原料が硬化して形成された柱状本体２２から短冊状の原型２１をはがして抜き取ることにより、前記したペニス挿入用の切込み１２が形成されるのである。２３はペニス挿入用の切込み１２の開口部に延長して形成されたつまみ部分である。
【００２２】
図６および図７に本考案において使用される、ペニス挿入部をかたどった短冊状の原型２１を示す。
この短冊状の原型２１は、ほぼ全長にわたって所定幅のスリット状をなし、中間部位に２つの幅広部分が形成されている。またその幅広部分は前記ペニス挿入用の切込み１２のスリット面に対して球状にカーブしており、しかもスリット面には細かい凹凸が形成されている。
【産業上の利用可能性】
【００２３】
本考案の精子採取器は、単に精子の採取の用途にとどまらず、不感症等の治療に使用する器具としても転用することができることはうまでもない。
【図面の簡単な説明】
【００２４】
【図１】本考案の精子採取器の１実施例を示す正面図である。
【図２】その上面図である。
【図３】その側面図である。
【図４】ゴム状弾性体内にペニス挿入部をかたどった短冊状の原型が取り付けられている状態を示す正面図である。
【図５】その上面図である。
【図６】ペニス挿入部をかたどった短冊状の原型の正面図である。
【図７】その上面図である。
【符号の説明】
【００２５】
１１  柱状本体
１２  ペニス挿入用の切込み
１３  開口部
１４  フランジ（つば部）
１５  握り部材
２１  短冊状の原型
２２  柱状本体
２３  つまみ部分
【手続補正書】
【提出日】平成19年10月26日(2007.10.26)
【手続補正１】
【補正対象書類名】明細書
【補正対象項目名】０００２
【補正方法】変更
【補正の内容】
【０００２】
従来のこの種の器具としては、特開２００７−５４５８１号公報（特許文献１参照）に示されたような、ゴム状弾性体等で出来た厚みの極めて薄い袋を内壁に使用し、外装部に不織布１を使用するとともに、内壁部の袋と外装部の不織布１との間に緩衝材としてスポンジ材やプラスチックウール材を充填したものを用い、内壁の袋内にローションを充填してペニスを挿入すると、厚みの極めて薄い袋とローションの特性からペニス挿入時に袋がペニスに密着し、袋内部はほぼ真空状態になってペニスに絡まり、適度な摩擦抵抗を作るようにした精子採取器が公知である。
【手続補正２】
【補正対象書類名】明細書
【補正対象項目名】０００３
【補正方法】変更
【補正の内容】
【０００３】
しかしながら、上記した精子採取器においては、袋状であるために取り扱いが難しく、またスポンジ材やプラスチックウール材等の充填材が磨耗や収縮しやすいために繰り返しの使用や長期間の利用には耐え難いという欠点があった。
そこで本考案は上記した実状に鑑みなされたもので、全体が柱状本体からなるものであるため取り扱いが簡単な精子採取器を提供することが可能であり、また使い捨ての製品としてだけでなく、繰り返しの使用や長期間の利用にも充分に耐え得る精子採取器の提供を目的とするものである。